(57)【要約】【課題】様々な現場に適用し易く、設備に要するコストを抑えつつ、堆砂を長期間堆積させずにダムの下流域に排出できる堆砂の排出システムおよび方法を提供する。【解決手段】平常時はダム１８の上流域に設置された堰２に設置した排砂施設３の制水ゲート５によって引込流路４を閉じて、堰２よりも上流側の水Ｗを越堰させて堰２とダム１８との間の貯水池１９に流入させ、大雨等で上流側の水Ｗの流量が大きい時は、引込流路４を開いて、堰２よりも上流側の水Ｗを堆砂Ｓとともに引込流路４に流入させ、かつ、堰２の上流側の水位を堰２の高さよりも低下させ、引込流路４に流入させた堆砂Ｓを、ポンプ９により吸引して、引込流路４に連結された排砂路７に移送して、引込流路４を通過して排砂路７を流れる上流側の水Ｗとともに規定勾配以上の排砂バイパストンネル８を通じてダム１８の下流域に排出する。【選択図】図８
2020200583.tif 000002
【特許請求の範囲】
【請求項１】
ダムの上流域に設置された堰と、この堰の延在方向の所定位置に設置された排砂施設と、この排砂施設から下流側に延在する排砂路と、この排砂路と前記ダムの下流域とを連結する規定勾配以上の排砂バイパストンネルとを有する堆砂の排出システムであって、
前記排砂施設が前記排砂路に連結された引込流路と、この引込流路を開閉する制水ゲートと、この引込流路で前記制水ゲートの上流側に配置されるポンプとを有し、前記ポンプの吐出口と前記排砂路との間に延在する管路と、前記制水ゲートおよび前記ポンプを制御する制御部とを備えて、
前記制水ゲートによって前記引込流路を閉じることにより、前記堰よりも上流側の水が前記堰を越えて前記堰と前記ダムとの間の貯水池に流入する状態になり、
前記制水ゲートによって前記引込流路を開くことにより、前記堰よりも上流側の水が、上流側から流れてきた砂により生じた堆砂とともに前記引込流路に流入する状態になり、かつ、前記堰の上流側の水位が前記堰の高さよりも低下し、前記引込流路に流入した前記堆砂が、前記ポンプに吸引されて前記管路を経由するルートと、前記引込流路を通過するルートとで前記排砂路に移送されることを可能にして、前記排砂路に移送された前記堆砂および前記上流側の水が前記排砂バイパストンネルを通じて前記ダムの下流域に排出される構成にしたことを特徴とする堆砂の排出システム。
【請求項２】
前記ポンプの吸引口の上下位置を変化させるポンプ昇降機を備えた請求項１に記載の堆砂の排出システム。
【請求項３】
前記ポンプを複数有し、それぞれの前記ポンプの吸引口が前記引込流路の延在方向に間隔をあけて配置されていて、かつ、上下位置が異なって配置されている請求項１または２に記載の堆砂の排出システム。
【請求項４】
前記引込流路で前記ポンプの上流側に配置される通水性および通砂性を有するスクリーンと、前記スクリーンの上下位置を変化させるスクリーン昇降機を備えて、前記制御部により前記スクリーンの下端面を前記スクリーンが配置された場所での水面よりも高い位置に上昇可能にされる構成にした請求項１〜３のいずれかに記載の堆砂の排出システム。
【請求項５】
前記排砂施設が設置されている前記堰の延在方向の前記所定位置が、平面視で前記堰の最も下流側に突出した位置である請求項１〜４のいずれかに記載の堆砂の排出システム。
【請求項６】
ダムの上流域に設置された堰の延在方向の所定位置に排砂施設を設置し、この排砂施設から下流側に排砂路を延在させて、この排砂路を規定勾配以上の排砂バイパストンネルを介して前記ダムの下流域と連結し、前記排砂施設を前記排砂路に連結された引込流路と、この引込流路を開閉する制水ゲートと、この引込流路で前記制水ゲートの上流側に配置されるポンプとを備えた構成にして、
前記制水ゲートによって前記引込流路を閉じることにより、前記堰よりも上流側の水を前記堰を越えさせて前記堰と前記ダムとの間の貯水池に流入させ、
前記制水ゲートによって前記引込流路を開くことにより、前記堰よりも上流側の水を、上流側から流れてきた砂により生じた堆砂とともに前記引込流路に流入させ、かつ、前記堰の上流側の水位を前記堰の高さよりも低下させ、前記引込流路に流入させた前記堆砂を、前記ポンプにより吸引して前記管路を経由するルートと、前記引込流路を通過させるルートとで前記排砂路に移送することを可能にして、前記排砂路に移送した前記堆砂および前記上流側の水を前記排砂バイパストンネルを通じて前記ダムの下流域に排出することを特徴とする堆砂の排出方法。
【発明の詳細な説明】
【技術分野】
【０００１】
本発明は、堆砂の排出システムおよび方法に関し、さらに詳しくは、様々な現場に適用し易く、施工および稼働に要するコストを抑えつつ、ダムの上流域の水底の堆砂を長期間堆積させずにダムの下流域に排出できる堆砂の排出システムおよび方法に関するものである。
【背景技術】
【０００２】
ダムの貯水池には上流の河川から土砂が流入して、経時的に貯水池の貯水容量が減少し、ダムの上流域では河床上昇による洪水リスクの増大、ダムの下流域では河川からの土砂供給量の低下により河床低下や海岸線の後退などの問題が生じている。そのため、ダムの貯水池の堆砂は例えば、排砂バイパストンネルやダムに設置された排砂ゲートによってダムの下流域に排出されている。
【０００３】
ダムの貯水池上端とダム下流域との間に延在する排砂バイパストンネルの勾配は、堆砂を円滑に排出するため、ある程度大きくすることが要求されるので、このトンネルを適用できる現場は限られる。また、このトンネルへの土砂の引込み量は、上流での河床流速の掃流力に依存するので、トンネル内での濁水のスラリー濃度をコントロールできない。これに伴い、トンネル断面積が大きくなり施工費用が多大になることもある。
【０００４】
排砂ゲートの場合は、ゲートを開いて排砂した後、低下した貯水池の水位回復に時間を要すると、利水に大きな影響が生じる。そのため、貯水容量に対して河川からの流入水量が十分であることが必要になり、排砂ゲートを適用できる現場は非常に限定される。
【０００５】
静水圧を利用して水中の堆砂を流送する方法は種々提案されている（例えば、特許文献１参照）。このように静水圧を利用する方法では、排砂パイプが詰まるトラブルなどによって堆砂を円滑に流送することができない場合がある。また、貯水池に一度堆積させた堆砂をあらためて下流域に流送するので、堆砂がヘドロ化していて下流域の河川に悪影響を及ぼすことが懸念される。このように様々な課題があるため実用化には至ってない。
【先行技術文献】
【特許文献】
【０００６】
【特許文献１】特開２０００−１２００５０号公報
【発明の概要】
【発明が解決しようとする課題】
【０００７】
本発明の目的は、様々な現場に適用し易く、施工および稼働に要するコストを抑えつつ、ダムの上流域の水底の堆砂を長期間堆積させずにダムの下流域に排出できる堆砂の排出システムおよび方法を提供することにある。
【課題を解決するための手段】
【０００８】
上記目的を達成するため本発明の堆砂の排出システムは、ダムの上流域に設置された堰と、この堰の延在方向の所定位置に設置された排砂施設と、この排砂施設から下流側に延在する排砂路と、この排砂路と前記ダムの下流域とを連結する規定勾配以上の排砂バイパストンネルとを有する堆砂の排出システムであって、前記排砂施設が前記排砂路に連結された引込流路と、この引込流路を開閉する制水ゲートと、この引込流路で前記制水ゲートの上流側に配置されるポンプとを有し、前記ポンプの吐出口と前記排砂路との間に延在する管路と、前記制水ゲートおよび前記ポンプを制御する制御部とを備えて、前記制水ゲートによって前記引込流路を閉じることにより、前記堰よりも上流側の水が前記堰を越えて前記堰と前記ダムとの間の貯水池に流入する状態になり、前記制水ゲートによって前記引込流路を開くことにより、前記堰よりも上流側の水が、上流側から流れてきた砂により生じた堆砂とともに前記引込流路に流入する状態になり、かつ、前記堰の上流側の水位が前記堰の高さよりも低下し、前記引込流路に流入した前記堆砂が、前記ポンプに吸引されて前記管路を経由するルートと、前記引込流路を通過するルートとで前記排砂路に移送されることを可能にして、前記排砂路に移送された前記堆砂および前記上流側の水が前記排砂バイパストンネルを通じて前記ダムの下流域に排出される構成にしたことを特徴とする。
【０００９】
本発明の堆砂の排出方法は、ダムの上流域に設置された堰の延在方向の所定位置に排砂施設を設置し、この排砂施設から下流側に排砂路を延在させて、この排砂路を規定勾配以上の排砂バイパストンネルを介して前記ダムの下流域と連結し、前記排砂施設を前記排砂路に連結された引込流路と、この引込流路を開閉する制水ゲートと、この引込流路で前記制水ゲートの上流側に配置されるポンプとを備えた構成にして、前記制水ゲートによって前記引込流路を閉じることにより、前記堰よりも上流側の水を前記堰を越えさせて前記堰と前記ダムとの間の貯水池に流入させ、前記制水ゲートによって前記引込流路を開くことにより、前記堰よりも上流側の水を、上流側から流れてきた砂により生じた堆砂とともに前記引込流路に流入させ、かつ、前記堰の上流側の水位を前記堰の高さよりも低下させ、前記引込流路に流入させた前記堆砂を、前記ポンプにより吸引して前記管路を経由するルートと、前記引込流路を通過させるルートとで前記排砂路に移送することを可能にして、前記排砂路に移送した前記堆砂および前記上流側の水を前記排砂バイパストンネルを通じて前記ダムの下流域に排出することを特徴とする。
【発明の効果】
【００１０】
本発明によれば、大雨等で上流側の水量が増加した時は、制水ゲートによって引込流路を開くことで、堰よりも上流側の水を、堰の上流側の堆砂とともに引込流路に流入させ、かつ、堰よりも上流側の水位を堰の高さよりも低下させることができる。引込流路では、流入させた堆砂を、ポンプにより吸引して、引込流路に接続された排砂路に移送し、引込流路を通過して排砂路を流れる水とともに、排砂バイパストンネルを通じてダムの下流域に排出することができる。このように排砂路を用いることで、様々な条件の現場においても、規定勾配以上の排砂バイパストンネルを適用し易くなる。
【００１１】
また、ポンプによる排砂を行うことで排砂バイパストンネルの短縮化も可能になる。排砂バイパストンネルには堆砂含有率が高い濁水を流せるので、濁水のスラリー濃度をコントロールできない場合に比して、トンネル断面積を小さくすることができる。それ故、排砂バイパストンネルの施工に要するコストを抑えるには有利になる。また、ポンプによる堆砂の移送と、水頭差による堆砂の移送とを併用するので、設備の稼働に要するコストを抑えるにも有利になる。
【００１２】
さらには、堰の上流側の水の流量が増加した時など、堆砂が増加する適宜のタイミングで堆砂をダムの下流域に排出できる。これに伴い、堆砂が長期間堆積した状態になることを回避するには有利になる。
【図面の簡単な説明】
【００１３】
【図１】本発明の堆砂の排出システムの全体概要を平面視で例示する説明図である。
【図２】図１の排出システムを縦断面視で模式的に例示する説明図である。
【図３】図１の排砂施設および堰を平面視で例示する説明図である。
【図４】図３の排砂施設の近傍を拡大して平面視で例示する説明図である。
【図５】図４のＡ−Ａ断面図である。
【図６】図４のＢ−Ｂ断面図である。
【図７】図４の排砂施設を正面視で例示する説明図である。
【図８】図６の制水ゲートを上昇させて引込流路を開いた状態を例示する説明図である。
【図９】図８の排砂施設を平面視で例示する説明図である。
【図１０】図８のスクリーンに漂流物が捕捉されている状態を例示する説明図である。
【図１１】図１０のスクリーンを上昇させた状態を例示する説明図である。
【図１２】図６のポンプを別の設置形態にした排砂施設を例示する説明図である。
【図１３】図１２の排砂施設を平面視で例示する説明図である。
【図１４】図１２の制水ゲートを上昇させて引込流路を開いた状態を例示する説明図である。
【図１５】図１４の排砂施設を平面視で例示する説明図である。
【図１６】排砂施設の別の配置形態を平面視で例示する説明図である。
【図１７】排砂施設のさらに別の配置形態を平面視で例示する説明図である。
【発明を実施するための形態】
【００１４】
以下、本発明の堆砂の排出システムおよび方法を、図に示した実施形態に基づいて説明する。
【００１５】
図１、図２に例示する本発明の堆砂の排出システム１は、ダム１８の上流河川２０ａを流れてくる土砂が、ダム１８によって堰き止められた貯水池１９に流入して堆積することを防止する。即ち、この排出システム１は、貯水池１９に多量の堆砂Ｓが生じないように、上流河川２０ａの水底での堆砂Ｓを、排砂路７および排砂バイパストンネル８を通じてダム１８の下流河川２０ｂに排出させる。排砂路７は例えば、上面が開放された流路、或いは、蓋体を取り外すことで上面が開放できる流路である。排砂路７の下端部は排砂バイパストンネル８の入口８ａに接続され、排砂バイパストンネル８の出口８ｂは下流河川２０ｂに開口している。
【００１６】
この排出システム１は、上流河川２０ａを横切って設置された堰２と、この堰２の延在方向の所定位置に設置された排砂施設３と、この排砂施設３から下流側に延在する排砂路７と、この排砂路７と下流河川２０ｂとを連結する規定勾配以上の排砂バイパストンネル８とを有している。そして、ダム１８と堰２との間に貯水池１９が存在している。
【００１７】
尚、この規定勾配以上とは、国土交通省によって定められた「ダム貯水池土砂管理の手引き（案）」において要求されている１／１００以上を意味する。
【００１８】
図３〜図７に例示するように、この排砂施設３は、排砂路７に連結された引込流路４と、引込流路４を開閉する制水ゲート５と、引込流路４において制水ゲート５の上流側に配置されるポンプ９とを有している。さらに、ポンプ９の吐出口９ｅから排砂路７に延在する管路１０と、制水ゲート５およびポンプ９の作動を制御する制御部１６とを備えている。管路１０の途中には、管路１０を流れる濁水の土砂濃度を検知する濃度センサ１０ａが取り付けられている。濃度センサ１０ａにより検知された濃度データは制御部１６に逐次入力される。
【００１９】
この実施形態では、引込流路４にはポンプ９の上流側に配置される通水性および通砂性を有するスクリーン１２が備わっている。さらに、引込流路４の水位を検知する水位センサ１４と、スクリーン１２の周辺を撮影する監視カメラ１５とが設置されている。水位センサ１４により検知された水位データは制御部１６に逐次入力される。そして、上流河川２０ａの一方岸から他方岸まで延在する管理用通路１７が、堰２の上方で堰２に沿って延在している。管理用通路１７は、図面では一部を省略しているが、排砂施設３の外側に沿って配置されて、上流河川２０ａの一方岸から他方岸まで延在している。
【００２０】
制水ゲート５は、ゲート昇降機６によって上下移動する。ゲート昇降機６を制御部１６により制御することにより、制水ゲート５は所望の上下位置に配置される。
【００２１】
引込流路４の底面には、流路延在方向中途の位置に凹部４ｂが形成されていて、凹部４ｂの下流側には上方に突出した流路内堰４ａが流路幅方向に延在している。ポンプ９は凹部４ｂに対応する位置に配置されている。ポンプ９はポンプ昇降機１１によって、凹部４ｂの上で上下移動する。ポンプ昇降機１１を制御部１６により制御することにより、ポンプ９の吸引口９ｉが所望の上下位置に配置される。ポンプ９としては、水中ポンプタイプ、ジェットポンプタイプ、固定ポンプタイプなど、各種のポンプを使用できる。
【００２２】
スクリーン１２は、上流河川２０ａを流れてくる流木などの漂流物Ｄがポンプ９の位置まで流入することを防止する。スクリーン１２は、水Ｗおよび堆砂Ｓを円滑に通過させることができる。したがって、網目が比較的粗いメッシュ状板、多穴板、引込流路４を横切る複数のバーを有する枠体などをスクリーン１２として用いることができる。
【００２３】
スクリーン１２はスクリーン昇降機１３によって上下移動する。スクリーン昇降機１３を制御部１６で制御することにより、スクリーン１２の下端面が、所望の上下位置に配置される。スクリーン１２の下端面は、スクリーン１２が配置された場所での水面よりも高い位置に上昇可能にすることが望ましい。スクリーン１２は、ポンプ９の吸引口９ｉの上流側に配置されていればよく、上下移動しない固定式を採用することもできる。ゲート昇降機６、ポンプ昇降機１１、スクリーン昇降機１３としては、ウインチ等が用いられる。
【００２４】
監視カメラ１５により撮影された画像は、遠隔地にある監視室などに設置されたモニタに表示される。尚、引込流路４の水位が把握できるように、引込流路４の画像を監視カメラ１５により撮影して、遠隔地にある監視室などに設置されたモニタに表示することもできる。
【００２５】
次に、この排出システム１を用いて、上流河川２０ａの水底の堆砂Ｓをダム１８の下流域に排出する手順の一例を説明する。
【００２６】
雨が降っていない場合など、上流河川２０ａの水Ｗの流量が多くない平常時は、図６、図７に例示するように制水ゲート５を下方移動させて引込流路４を閉じる。これにより、水Ｗが引込流路４を通過しない状態にする。一方で、図５に例示するように、堰２よりも上流側の水Ｗが堰２を越えて貯水池１９に流入する状態にする。この実施形態では、堰２と管理用通路１７との上下間を水Ｗが通過する。
【００２７】
上流から流れてくる砂は堰２を越えることができず、堰２の上流側に一時的に堆積するので、貯水池１９に多量の堆砂Ｓが生じることが回避される。平常時は、ポンプ９は水上の退避位置に移動させておき、スクリーン１２は水上と水中に跨る位置に配置した状態にするとよい。
【００２８】
大雨等が降って上流河川２０ａの水Ｗの流量が多い時は、図８に例示するように、制水ゲート５を上方移動させて、制水ゲート５によって遮断されていた引込流路４を開く。引込流路４を開くことにより、堰２よりも上流側の水Ｗを引込流路４に流入させることができる。上流側から流れてきた砂によって上流河川２０ａの水底に発生した堆砂Ｓも、水Ｗが引込流路４に流入することに伴って、効率的に引込流路４に流入させることができる。スクリーン１２の下端面は、スクリーン１２が堆砂Ｓの流入の妨げにならない程度の位置になるように水中に配置するとよい。
【００２９】
この実施形態では、流路内堰４ａおよび凹部４ｂが形成されているので、流入した堆砂Ｓは流路内堰４ａによって移動が阻止されて凹部４ｂに堆積し易くなっている。引込流路４に流入した水Ｗは、流路内堰４ａを越えて排砂路７に流れる。尚、洪水時など引込流路４に流入する水Ｗの量が多い場合（水Ｗの勢いが強い場合）は、水Ｗとともに流路内堰４ａを越えて排砂路７に流れる堆砂Ｓの量が多くなる。
【００３０】
また、水Ｗが引込流路４に流入することで、堰２よりも上流側の水位を堰２の高さよりも低下させることができる。これにより、堰２を越えて堆砂Ｓが貯水池１９に流入することが防止される。
【００３１】
次いで、引込流路４ではポンプ９を下方移動させて、流入した堆砂Ｓの中に吸引口９ｉを入れる。そして、引込流路４に流入した水Ｗの一部とともに堆砂Ｓをポンプ９によって吸引する。図９に例示するように、吸引口９ｉから吸引された堆砂Ｓおよび水Ｗは、管路１０を通じて排砂路７に移送される。堆砂Ｓおよび水Ｗが濃度センサ１０ａを通過することで、土砂濃度が逐次検知される。濃度センサ１０ａにより検知された濃度データに基づいて、例えば吸引口９ｉの上下位置を変えることで、排砂路７に移送する堆砂Ｓを適切な量（濃度）に調整することができる。したがって、この排砂施設３では、引込流路４に流入させた堆砂Ｓを、ポンプ９に吸引して管路１０を経由するルートと、管路１０を経由せずに引込流路４を通過するルートとで排砂路７に移送することが可能になっている。
【００３２】
制水ゲート５やポンプ９の上下移動は、水位センサ１４により検知された引込流路４の水位に基づいて制御することができる。制御部１６には、制水ゲート５やポンプ９を上方移動させる水位およびその上方移動量、下方移動させる水位およびその下方移動量などの各種データを予め入力、記憶しておく。制御部１６には、管路１０での土砂濃度の適切な範囲も入力、記憶しておく。
【００３３】
尚、引込流路４の水位の画像を監視カメラ１５により撮影して、遠隔地にある監視室などに設置されたモニタに表示する場合は、作業者はモニタに表示された画像を見て、遠隔操作によって制御部１６に指令信号を出して、制水ゲート５、ポンプ９およびスクリーン１２を制御することもできる。この操作によって、制水ゲート５、ポンプ９の吸引口９ｉおよびスクリーン１２を所望の上下位置に移動させることができる。
【００３４】
ポンプ９によって排砂路７に移送された堆砂Ｓは、排砂バイパストンネル８に投入される。排砂路７には引込流路４を通過した水Ｗや堆砂Ｓの一部も流れているので、この水Ｗや堆砂Ｓも排砂バイパストンネル８に投入される。規定勾配以上の排砂バイパストンネル８では、投入された堆砂Ｓと水Ｗが濁水となって移送されて下流河川２０ｂに排出される。
【００３５】
この排砂システム１では、堆砂Ｓをポンプ９により吸引して排砂路７に移送した後、排砂バイパストンネル８に投入する構造を採用することで、規定勾配以上の排砂バイパストンネル８を施工するための現場条件の制約が緩くなる。即ち、様々な条件の現場においても、規定勾配以上の排砂バイパストンネル８を施工し易くなる。また、排砂バイパストンネル８の短縮化も可能になる。
【００３６】
ポンプ９によって堆砂Ｓを移送することで、排砂バイパストンネル８には堆砂Ｓを高い含有率にコントロールした濁水を流すことができる。即ち、濁水のスラリー濃度をコントロールできない場合は、低濃度になった場合も想定して所定の排砂量を確保するためにトンネル断面積が増大させる必要があるが、本発明によればそれよりもトンネル断面積を小さくすることができる。それ故、この排出システム１を用いることで、排砂バイパストンネル８の施工に要するコストを抑えるには有利になる。
【００３７】
また、ポンプ９によって堆砂Ｓを移送するとともに、排砂施設３、排砂路７、排砂バイパストンネル８を順に流れる水Ｗによって堆砂Ｓを移送する（水頭差を利用する）。これにより、設備の稼働に要するランニングコストを抑えるにも有利になる。
【００３８】
堰２の上流側の堆砂Ｓの量は、堰２の上流側の水Ｗの流量が大きくなると増加する。この排砂システム１では、堆砂Ｓの量が増加したタイミングで、堆砂Ｓをダム１８の下流域に排出することができる。それ故、堆砂Ｓに対処しない場合と比較して、堆砂Ｓが長期間堆積した状態になることを回避するには有利になる。即ち、長期間堆積してヘドロ化した堆砂Ｓが下流河川２０ｂに排出されることを回避できる。下流域に排出された堆砂Ｓは、下流河川２０ｂの河床低下の防止、河口近傍の海岸線の形成に寄与する。
【００３９】
図１０に例示するように、流木等の漂流物Ｄはスクリーン１２によって遮断されて、ポンプ９の上流側で引込流路４への流入が阻止される。これにより、ポンプ９の吸引口９ｉが漂流物Ｄによって塞がれることや漂流物Ｄによる破損を回避できるので、堆砂Ｓを安定的に吸引して移送することができる。スクリーン１２に多量の漂流物Ｄが捕捉されることがある。スクリーン１２に捕捉された漂流物Ｄの状況は、監視カメラ１５により撮影された画像がモニタに表示されるので、作業者がモニタを見ることで確認し、必要に応じて撤去することができる。
【００４０】
作業者は、必要に応じて遠隔操作によって制御部１６に指令信号を出してスクリーン１２の上下位置を所望の位置に制御する。この場合は、図１１に例示するようにスクリーン１２を上方移動させて、スクリーン１２の下端面を水面よりもある程度高い位置に配置する。これにより、浮遊している漂流物Ｄは、水面とスクリーン１２の下端面との間を通過し、引込流路４を通過して排砂路７に移送される。ポンプ９は事前に水上の退避位置に移動させる。この操作によって、漂流物Ｄがスクリーン１２から除去されるので、ポンプ９による堆砂Ｓの安定した吸引を確保できる。
【００４１】
図１２、図１３に例示するようにポンプ９（９Ａ、９Ｂ、９Ｃ）を複数配置することもできる。それぞれのポンプ９Ａ、９Ｂ、９Ｃは引込流路４の上方の所定位置に固定されていて、それぞれの吸引口９ｉは、引込流路４の延在方向に間隔をあけて配置されていて、かつ、上下位置が異なるように設定されている。ポンプ９は適宜の数にすることができ、１台のポンプ９に、引込流路４の延在方向に間隔をあけて配置されて上下位置を異ならせた複数の吸引口９ｉを接続した構成にすることもできる。
【００４２】
この実施形態では、最も上流側のポンプ９Ａの吸引口９ｉが最も高い位置に設定され、下流側で隣り合うポンプ９Ｂの吸引口９ｉが最も低い位置に設定されている。具体的には、ポンプ９Ａの吸引口９ｉは水深の浅い位置に設定され、ポンプ９Ｂの吸引口９ｉは引込流路４の底面の凹部４ｂの中に入るように設定されている。最も下流側のポンプ９Ｃの吸引口９ｉの上下位置は、ポンプ９Ａの吸引口９ｉとポンプ９Ｂの吸引口９ｉとの間の位置に設定され、引込流路４の凹部４ｂ以外の下流側底面近傍に設定されている。
【００４３】
それぞれのポンプ９Ａ、９Ｂ、９Ｃの吐出口９ｅに接続された管路１０は排砂路７まで延在している。管路１０の途中には濃度センサ１０ａが取り付けられている。
【００４４】
このポンプ９の配置形態を採用した場合は、図１４、図１５に例示するように、凹部４ｂに対応する位置に配置されたポンプ９Ｂを主に使用して、引込流路４に流入した堆砂Ｓを吸引する。堆砂Ｓを引込流路４に流入させる手順は、先の実施形態と同様である。ポンプ９Ｂにより吸引された堆砂Ｓ、水Ｗは管路１０を通じて排砂路７に移送された後、排砂バイパストンネル８に投入される。
【００４５】
最も下流側のポンプ９Ｃは、例えば濃度センサ１０ａにより逐次検知された濃度データに基づいて稼働させる。そして、ポンプ９Ｃにより吸引した堆砂Ｓと水Ｗを、排砂路７（排砂バイパストンネル８）での濁水中の堆砂Ｓの含有率を調整するために使用する。或いは、このポンプ９Ｃは、ポンプ９Ｂが堆砂Ｓに埋没して十分に堆砂Ｓを吸引できなくなった場合の復旧用として使用する。
【００４６】
最も上流側のポンプ９Ａは、制水ゲート５により引込流路４を閉じた際に、引込流路４の水深の浅い位置の比較的濁りの少ない水Ｗを吸引する。この水Ｗを管路１０を通じて排砂路７および排砂バイパストンネル８に流すことにより、これらを洗浄することができる。
【００４７】
図３に例示した排砂施設３は堰２の延在方向の一方端部に設置されているが、これに限らない。また、堰２の延在方向も図３に例示した方向（上流河川２０ａの水Ｗの流れに直交する方向）に限らない。排砂施設３は図１６、図１７に例示するように、平面視で堰２の最も下流側に突出した位置に設置するとよい。排砂施設３をこのような配置にすると、上流側の水Ｗが排砂施設３に向かって流れるので堆砂Ｓを引込流路４に流入させ易くなる。
【符号の説明】
【００４８】
１  排出システム
２  堰
３  排砂施設
４  引込流路
４ａ  流路内堰
４ｂ  凹部
５  制水ゲート
６  ゲート昇降機
７  排砂路
８  排砂バイパストンネル
８ａ  入口
８ｂ  出口
９（９Ａ、９Ｂ、９Ｃ）  ポンプ
９ｉ  吸引口
９ｅ  吐出口
１０  管路
１０ａ  濃度センサ
１１  ポンプ昇降機
１２  スクリーン
１３  スクリーン昇降機
１４  水位センサ
１５  監視カメラ
１６  制御部
１７  管理用通路
１８  ダム
１９  貯水池
２０ａ  上流河川
２０ｂ  下流河川
Ｗ  水
Ｓ  堆砂
Ｄ  漂流物（流木など）
【図１】
2020200583.tif 000003
【図２】
2020200583.tif 000004
【図３】
2020200583.tif 000005
【図４】
2020200583.tif 000006
【図５】
2020200583.tif 000007
【図６】
2020200583.tif 000008
【図７】
2020200583.tif 000009
【図８】
2020200583.tif 000010
【図９】
2020200583.tif 000011
【図１０】
2020200583.tif 000012
【図１１】
2020200583.tif 000013
【図１２】
2020200583.tif 000014
【図１３】
2020200583.tif 000015
【図１４】
2020200583.tif 000016
【図１５】
2020200583.tif 000017
【図１６】
2020200583.tif 000018
【図１７】
2020200583.tif 000019